(57)【要約】【課題】機器前面にガラスの端面を露出して使用するときの前方転倒時に破損防止を目的とする。【解決手段】前面のガラス板１１を取り付ける固定ねじ１２の押さえ頭の先端ａ点と、底面部の底板４の前方先端ｂ点を結ぶ直線より内側にガラス板１１を設けることにより、前方転倒時、固定ねじ１２の押さえ頭の先端ａ点が一番衝撃を受けて、ガラス板１１には直接衝撃が加わらないため、破損が生じない。【選択図】図２
2005265363.tif 000002
【特許請求の範囲】
【請求項１】
本体の前面部に端面を露出して設け外装の一部を構成するガラス板と、前記ガラス板を前記本体前面部に固定する固定手段を備え、前記固定手段は前記ガラス板より前方側に突出した部分を有し、本体が前面側に転倒したとき、前記固定手段の突出部が床面と接触してガラス板と床面との間に空間を形成する構成とした温風暖房機。
【請求項２】
固定手段として、固定ねじで取付穴を介してガラス板を本体前面に取り付ける構成とし、前記固定ねじの押さえ頭部の先端ａ点と本体を構成する底板の前方先端ｂ点とを結ぶ直線より内側の位置に前記ガラス板を配置した請求項１記載の温風暖房機。
【請求項３】
固定手段として、本体天面部にガラス板より前方に突出した突起部を有した保持具を備え、前記突起部の前方先端ｃ点と本体を構成する底板の前方先端ｂ点とを結ぶ直線より内側の位置に前記ガラス板を配置した請求項１記載の温風暖房機。
【請求項４】
固定手段として、ガラス板の上部左右の角部を覆って取り付ける角固定具を備え、前記角固定具は前方に突出した突起部を有し、前記突起部の前方先端ｄ点と本体を構成する底板の前方先端ｂ点とを結ぶ直線より内側の位置に前記ガラス板を配置した請求項１記載の温風暖房機。
【請求項５】
固定手段は、緩衝材を介してガラス板を本体前面に取り付ける構成とした請求項１〜４のいずれか１項記載の温風暖房機。
【請求項６】
ガラス板の取付穴と固定ねじとの接合部に弾力性のある緩衝材を設け、前記ガラス板と前記固定ねじが直接接触しない構成とした請求項２または５記載の温風暖房機。
【請求項７】
ガラス板の上部角部と角固定具との接合部に弾力性のある緩衝材を設け、前記ガラス板と前記角固定具が直接接触しない構成とした請求項４または５記載の温風暖房機。
【請求項８】
ガラス板の裏面側に弾力性のある緩衝材を設け、本体前板と直接接触しない構成とした請求項１〜７のいずれか１項記載の温風暖房機。
【発明の詳細な説明】
【技術分野】
【０００１】
本発明は、温風暖房機のフロントにガラスを用いた構成における安全性の確保に関するものである。
【背景技術】
【０００２】
従来この種の温風暖房機は、外装材として比較的薄い鋼板を用いたり、温度的に問題のない箇所では樹脂を用いたりして筐体を構成しているのが一般的であった。なお、機械的強度、断熱性、吸音性をさらに高める場合は、別途補強材を追加したり、前面パネル表面に樹脂を貼り付けるというような対策がとられていた（例えば、特許文献１参照）。
【０００３】
図１０は従来の温風暖房機の構成断面図、図１１は側面図で、一般的な構成を示したものである。
【０００４】
図１０に示すように、外装を構成する主要部品として、前面部を板金からなる前板１と、後面部を板金からなる裏板２と、天面部を樹脂からなる天板３と、底部を樹脂からなる底板４と、前面部の温風の吹き出す部分を板金からなる吹出口５があり、機密性および所定の必要強度を確保している。
【０００５】
一方、内部を構成する主要部品として、供給された燃料を燃焼させるバーナー６と、そのバーナー６の熱により裏板２の通気口から取り入れられた外部の空気７を加熱する燃焼室８と、その加熱された空気を温風９として吹出口５から送り出す対流ファン１０がある。
【０００６】
以上のような構成で成り立っており、外部からの力を受けやすい外装の構成部品は板金または樹脂材料で製作されており、通常使用上においては容易に破損したり変形したりすることはない。
【０００７】
また、ファンヒータ等の簡易温風暖房機においては、近年、コンパクト化や設置場所の省スペース化の要求が高まり、機器の形状として縦型形状の傾向がみられる。この縦型形状にすると、比較的起こりやすい異常状態として、前方への転倒があり、前方への転倒が生じた場合、図１１に示すように、一番大きな衝撃を受ける部分は前板１の上部の１ａであるが、前板１は板金であるために少々の変形は生じることがあっても破損などによる使用不可能な状態になることはほとんどない。
【特許文献１】特開平９−１３３３４８号公報
【発明の開示】
【発明が解決しようとする課題】
【０００８】
しかしながら、前記従来の構成において、前方への転倒を考慮すると、前板の材料としては鋼板や衝撃強度の強い樹脂材料でなければならず、デザイン面で形状や材料選定において限定されたものになり、インテリア性を配慮した外装構成ができにくくなるという課題を有していた。
【０００９】
本発明は、前記従来の課題を解決するもので、前板にガラス等の衝撃強度が比較的弱い材料を使用しても前方への転倒時に破損を避けることができる外装構成を提供することを目的とする。
【課題を解決するための手段】
【００１０】
前記従来の課題を解決するために、本発明の温風暖房機は、本体の前面部に端面を露出して設け外装の一部を構成するガラス板と、前記ガラス板を前記本体前面部に固定する固定手段を備え、前記固定手段は前記ガラス板より前方側に突出した部分を有し、本体が前面側に転倒したとき、前記固定手段の突出部が床面と接触してガラス板と床面との間に空間を形成する構成としたものである。
【００１１】
これにより、インテリア性を重視し前面パネルにガラス板を配した構成のものであっても、機器が前方へ転倒した場合、固定手段に設けた突出部が床面と接触してガラス板との間に所定の空間を形成するため、ガラス板に直接衝撃が加わることがなく、ガラス板の破損事故を防止することができ、従来のように鋼板を用いたものに制約されることなく、好みの材料を選択することが可能となって、デザイン面での自由度が飛躍的に向上する。
【発明の効果】
【００１２】
本発明の温風暖房機は、前方への転倒時の強度的な課題により使用が困難であったガラス板等の比較的衝撃強度の弱い材料を前面パネルとして使用することができ、好みの材料を選択することが可能となって、デザイン面での自由度を飛躍的に高めることができる。
【発明を実施するための最良の形態】
【００１３】
第１の発明は、本体の前面部に端面を露出して設け外装の一部を構成するガラス板と、前記ガラス板を前記本体前面部に固定する固定手段を備え、前記固定手段は前記ガラス板より前方側に突出した部分を有し、本体が前面側に転倒したとき、前記固定手段の突出部が床面と接触してガラス板と床面との間に空間を形成する構成としたもので、インテリア性を重視し前面パネルにガラス板を配した構成のものであっても、機器が前方へ転倒した場合、固定手段に設けた突出部が床面と接触してガラス板との間に所定の空間を形成するため、ガラス板に直接衝撃が加わることがなく、ガラス板の破損事故を防止することができ、従来のように鋼板を用いたものに制約されることなく、好みの材料を選択することが可能となって、デザイン面での自由度が飛躍的に向上する。
【００１４】
第２の発明は、固定手段として、固定ねじで取付穴を介してガラス板を本体前面に取り付ける構成とし、前記固定ねじの押さえ頭部の先端ａ点と本体を構成する底板の前方先端ｂ点とを結ぶ直線より内側の位置に前記ガラス板を配置したもので、機器が前方へ転倒した場合に固定ねじの押さえ頭部の先端が一番衝撃を受けることになり、前面のガラス板には直接衝撃が加わらず、破損することがない。
【００１５】
第３の発明は、固定手段として、本体天面部にガラス板より前方に突出した突起部を有した保持具を備え、前記突起部の前方先端ｃ点と本体を構成する底板の前方先端ｂ点とを結ぶ直線より内側の位置に前記ガラス板を配置したもので、機器が前方へ転倒した場合に天板に配した保持具の突起部の前方先端が一番衝撃を受けることになり、前面のガラス板には直接衝撃が加わらず、破損することがない。
【００１６】
第４の発明は、固定手段として、ガラス板の上部左右の角部を覆って取り付ける角固定具を備え、前記角固定具は前方に突出した突起部を有し、前記突起部の前方先端ｄ点と本体を構成する底板の前方先端ｂ点とを結ぶ直線より内側の位置に前記ガラス板を配置したもので、機器が前方へ転倒した場合にガラス板上部コーナに配した角固定具の突起部の前方先端が一番衝撃を受けることになり、前面のガラスには直接衝撃が加わらず、破損することがない。
【００１７】
第５の発明は、固定手段は緩衝材を介してガラス板を本体前面に取り付ける構成としたもので、機器が前方へ転倒した場合に、固定手段により床面とガラス板との空間を確保しつつ、固定手段が受ける衝撃を緩衝材で吸収することで、ガラス板への衝撃を緩和し破損事故を防止することができる。
【００１８】
第６の発明は、ガラス板の取付穴と固定ねじとの接合部に弾力性のある緩衝材を設け、前記ガラス板と前記固定ねじが直接接触しない構成としたもので、機器が前方へ転倒した場合に、ガラス板を固定する固定ねじの押さえ頭部の先端が一番衝撃を受けることになり、前面のガラス板には直接衝撃が加わらず、かつ、固定ねじが床面に接触したときの衝撃を緩衝材により吸収することで、ガラス板への衝撃を緩和し破損事故を防止することができる。
【００１９】
第７の発明は、ガラス板の上部角部と角固定具との接合部に弾力性のある緩衝材を設け、前記ガラス板と前記角固定具が直接接触しない構成としたもので、機器が前方へ転倒した場合に、ガラス板上部コーナに配した角固定具の突起部の前方先端が一番衝撃を受けることになり、前面のガラス板には直接衝撃が加わらず、かつ、角固定具の突起部が床面に接触したときの衝撃を緩衝材により吸収することで、ガラス板への衝撃を緩和し破損事故を防止することができる。
【００２０】
第８の発明は、ガラス板の裏面側に弾力性のある緩衝材を設け、本体前板と直接接触しない構成としたもので、本体前板のガラス板取付面に緩衝材を配することで、機器が前方へ転倒した場合のガラス板と本体前板との衝撃を緩衝材で吸収することができ、ガラス板への衝撃を緩和し破損事故を防止することができる。
【００２１】
以下、本発明の実施の形態について、図面を参照して説明する。なお、本実施の形態によって本発明が限定されるものではない。
【００２２】
（実施の形態１）
図１は、本発明の第１の実施の形態における温風暖房機の構成断面図、図２は同側面図を示したものである。
【００２３】
図１において、内部の構成および動作は従来同様のため説明を省略する。
【００２４】
外装の主要構成部品として、前面部には前板１、後面部には裏板２、天面部には天板３、底面部には底板４、前面下部には温風を吹き出す吹出口５があり、前板１の前面を覆うようにガラス板１１を配設してある。前記ガラス板１１は天板３および前板１へ固定手段である固定ねじ１２により取り付けられており、ガラス板１１の周囲端面はデザイン性を配慮して露出した状態にしている。
【００２５】
また図２のように、固定ねじ１２の押さえ頭部はガラス板１１より前方側に所定の厚みを有したものを使用することで、固定手段の突起部を形成している。そして、固定ねじ１２の押さえ頭部の先端ａ点と底板４の前方先端ｂ点を結んだ直線より内側にガラス板１１を配置してある。
【００２６】
以上のように構成された温風暖房機において、前方への転倒が生じた場合、固定ねじ１２の押さえ頭部の先端ａ点と、底板４の前方先端ｂ点が床面と接触し、ガラス板１１と床面との間には所定の空間が確保され、ガラス板１１に直接衝撃が加わることがないため、ガラス板１１が割れることを防止することができる。
【００２７】
このように、ガラス板１１より前方側に突出した突出部を有する固定手段でガラス板１１を固定する構成としたことで、本体が前面側に転倒したとき、固定手段の突出部が床面と接触してガラス板１１と床面との間に空間を形成することになり、ガラス板１１に直接衝撃が加わることがなく、ガラス板１１の破損事故を防止することができ、従来のように鋼板を用いたものに制約されることなく、好みの材料を選択することが可能となって、デザイン面での自由度が飛躍的に向上する。
【００２８】
（実施の形態２）
図３は、本発明の第２の実施の形態における温風暖房機の構成断面図、図４は同側面図を示したものである。
【００２９】
図３において、内部の構成および動作は従来同様のため説明を省略する。
【００３０】
外装の主要構成部品として、前面部には前板１、後面部には裏板２、天面部には天板３、底面部には底板４、前面下部には温風を吹き出す吹出口５、前板１の前方を覆うようにガラス板１１があり、ガラス板１１の上部には固定手段として、天板３に取り付けた前方に突出した突起部を有する保持具１３を設けている。
【００３１】
また図４のように、保持具１３の突起部前方先端ｃ点と底板４の前方先端ｂを結んだ直線より内側にガラス板を配置してある。
【００３２】
以上のように構成された温風暖房機において、前方への転倒が生じた場合、保持具１３の突起部前方先端ｃ点と、底板４の前方先端ｂ点が床面と接触し、ガラス板１１と床面との間には所定の空間が確保され、ガラス板１１に直接衝撃が加わることがないため、ガラス板１１が割れることを防止することができる。
【００３３】
（実施の形態３）
図５は、本発明の第３の実施の形態における温風暖房機の構成断面図、図６は同側面図を示したものである。
【００３４】
図５において、内部の構成および動作は従来同様のため説明を省略する。
【００３５】
外装の主要構成部品として、前面部には前板１、後面部には裏板２、天面部には天板３、底面部には底板４、前面下部には温風を吹き出す吹出口５、前板１の前方を覆うようにガラス板１１があり、そのガラス板１１の上部角部を覆って取り付けるための固定手段として角固定具１４を備えている。
【００３６】
また図６のように、角固定具１４には突起部を設け、その突起部の前方先端ｄ点と底板４の前方先端ｂを結んだ直線より内側にガラス板を配置してある。
【００３７】
以上のように構成された温風暖房機において、前方への転倒が生じた場合、角固定具１４の突起部前方先端ｄ点と、底板４の前方先端ｂ点が床面と接触し、ガラス板１１と床面との間には所定の空間が確保され、ガラス板１１に直接衝撃が加わることがないため、ガラス板１１が割れることを防止することができる。
【００３８】
（実施の形態４）
図７は、本発明の第４の実施の形態における温風暖房機の側面図を示したものである。
内部の構成および動作は従来同様のため説明を省略する。
【００３９】
図７において、外装の主要構成部品として、前面部には前板１、後面部には裏板２、天面部には天板３、底面部には底板４、前面下部には温風を吹き出す吹出口５があり、前板１の前方を覆うようにガラス板１１を配設し、前記ガラス板１１は天板３と前板１へ固定ねじ１２により取り付けられており、ガラス板１１の周囲端面はインテリア性を配慮して露出した状態としている。
【００４０】
また、固定ねじ１２でガラス板１１を取り付けるとき、緩衝材１５を介して取り付けるようにし、固定ねじ１２の押さえ頭部の先端ａ点と底板４の前方先端ｂ点を結んだ直線より内側にガラス板１１を配置してある。
【００４１】
以上のように構成された温風暖房機において、前方への転倒が生じた場合、固定ねじ１２の押さえ頭部の先端ａ点と、底板４の前方先端ｂ点が床面と接触し、ガラス板１１と床面との間には所定の空間が確保され、ガラス板１１に直接衝撃が加わることがないため、ガラス板１１が割れることを防止することができるとともに、固定ねじ１２の押さえ頭部の先端ａ点が床面に接触したときの衝撃を緩衝材１５により吸収することにより、さらに、ガラス板１１への衝撃を緩和してより破損防止効果を高めることができる。
【００４２】
このように、ガラス板１１より前方側に突出した突出部を有する固定手段により緩衝材１５を介してガラス板１１を固定する構成としたことで、本体が前面側に転倒したとき、固定手段の突出部が床面と接触してガラス板１１と床面との間に空間を形成することになり、ガラス板１１に直接衝撃が加わることがなく、ガラス板１１の破損事故を防止することができ、さらに、転倒時の固定手段からの衝撃を緩和することでより破損防止効果を高めることが、従来のように鋼板を用いたものに制約されることなく、好みの材料を選択することが可能となって、デザイン面での自由度が飛躍的に向上する。
【００４３】
（実施の形態５）
図８は、本発明の第５の実施の形態における温風暖房機の側面図を示したものである。内部の構成および動作は従来同様のため説明を省略する。
【００４４】
図８において、外装の主要構成部品として、前面部には前板１、後面部には裏板２、天面部には天板３、底面部には底板４、前面下部には温風を吹き出す吹出口５、前板１の前方を覆うようにガラス板１１があり、そのガラス板１１の上部角部を覆って取り付けるための角固定具１４を備えている。
【００４５】
また、角固定具１４でガラス板１１を取り付けるとき、緩衝材１５を介して取り付けるようにし、角固定具１４の突起部前方先端ｄ点と底板４の前方先端ｂ点を結んだ直線より内側にガラス板１１を配置してある。
【００４６】
以上のように構成された温風暖房機につおいて、前方への転倒が生じた場合、角固定具１４の突起部前方先端ｄ点と、底板４の前方先端ｂ点が床面と接触し、ガラス板１１と床面との間には所定の空間が確保され、ガラス板１１に直接衝撃が加わることがないため、ガラス板１１が割れることを防止することができるとともに、角固定具１４の突起部前方先端ｄ点が床面に接触したときの衝撃を緩衝材１５により吸収することにより、さらに、ガラス板１１への衝撃を緩和してより破損防止効果を高めることができる。
【００４７】
（実施の形態６）
図９は、本発明の第６の実施の形態における温風暖房機の側面図を示したものである。内部の構成および動作は従来同様のため説明を省略する。
【００４８】
図９において、外装の主要構成部品として、前面部には前板１、後面部には裏板２、天面部には天板３、底面部には底板４、前面下部には温風を吹き出す吹出口５があり、前板１の前方を覆うようにガラス板１１があり、ガラス板１１の裏面側には前板１および天板３との間に緩衝材１７を設け、ガラス板１１が外装部品に直接接触しない構成としてある。
【００４９】
また、固定ねじ１２の押さえ頭部の先端ａ点と底板４の前方先端ｂ点を結んだ直線より内側にガラス板１１を配置してある。
【００５０】
以上のように構成された温風暖房機において、前方への転倒が生じた場合、一番衝撃を受けるのは固定ねじ１２の押さえ頭部の先端ａであるが、ガラス板１１の裏面の緩衝材１７によりガラス板１１に加わった衝撃を和らげ、さらに割れを回避することができる。
また、その他の部品への衝撃も大きく和らげることができる。
【産業上の利用可能性】
【００５１】
以上のように、本発明にかかる温風暖房機は、前板にガラス等の衝撃強度が比較的弱い材料を使用しても前方への転倒時に破損を避けることができる外装構成を提供するもので、転倒面に衝撃に弱い材料を使用するような機器全般に適用できる。
【図面の簡単な説明】
【００５２】
【図１】本発明の実施の形態１における温風暖房機の構成断面図
【図２】本発明の実施の形態１における温風暖房機の側面図
【図３】本発明の実施の形態２における温風暖房機の構成断面図
【図４】本発明の実施の形態２における温風暖房機の側面図
【図５】本発明の実施の形態３における温風暖房機の構成断面図
【図６】本発明の実施の形態３における温風暖房機の側面図
【図７】本発明の実施の形態４における温風暖房機の側面図
【図８】本発明の実施の形態５における温風暖房機の側面図
【図９】本発明の実施の形態６における温風暖房機の側面図
【図１０】従来の温風暖房機の構成断面図
【図１１】従来の温風暖房機の側面図
【符号の説明】
【００５３】
１  前板
１１  ガラス板
１２  固定ねじ（固定手段）
１３  保持具（固定手段）
１４  角固定具（固定手段）
【図１】
2005265363.tif 000003
【図２】
2005265363.tif 000004
【図３】
2005265363.tif 000005
【図４】
2005265363.tif 000006
【図５】
2005265363.tif 000007
【図６】
2005265363.tif 000008
【図７】
2005265363.tif 000009
【図８】
2005265363.tif 000010
【図９】
2005265363.tif 000011
【図１０】
2005265363.tif 000012
【図１１】
2005265363.tif 000013